(57)【特許請求の範囲】
【請求項１】
矩形の本体に紐を通す孔を２箇所設け、ハンドルを廻すことにより、ハンドルに連動したカムが回転することで挟持板が移動し、孔に通した紐が固定される紐止め具において、カムのストロークを可変させることで、挟持板の動作幅を調整し紐を抜け難くすることを特徴とする紐止め具。
【発明の詳細な説明】
【技術分野】
【０００１】
本発明は、主に紐状のものを固定するための止め具に関する。
【背景技術】
【０００２】
従来、紐状のものを固定するには、縛る、接着或いはテープで張り付ける等の方法があったが、いずれも固定状態を維持することに難があった。例えば、靴紐は結ぶことが主流であり、激しい運動やジョギングの際、紐を踏んで解けてしまう、または、結び目が緩んで解けてしまうという課題がある。実開昭６３−１７２６７４号公報には、シート挟持用クリップとして、平板状の基板の３辺に溝を設け、中央部を略球状に形成して、球状部を押し下げ反り返すことで、対象物を挟持する技術が記載されているが、本発明の紐状のものを挟持するものとは、形状、手段及びその効果が相違する。
【先行技術文献】
【特許文献】
【０００３】
【特許文献１】実開昭６３−１７２６７４公報（請求項１、図１）
【発明の概要】
【発明が解決しようとする課題】
【０００４】
この発明が解決しようとする課題は、例えば、靴紐を固定する場合、紐を結ぶのではなく、紐状のものを挟持し固定することで、解けにくくすること、及び紐の固定及び解除が簡易操作で行うことができる紐止め具を提供すること課題とする。
【課題を解決するための手段】
【０００５】
長さ略５０ｍｍ、幅略３０ｍｍ、厚さ略８ｍｍ程度の矩形の本体に、紐を通す孔を左右２箇所設け、本体中央部にはハンドルを設ける。ハンドルにはカムを取り付け、カムの両脇には紐を挟持する挟持板を設ける。挟持板は本体内部の挟持部との間に通された紐を挟持する。孔に通した紐は、挟持板と本体内部の挟持部との間を通り、ハンドルを廻すことにより、ハンドルに固定されたカムが連動し、カムの回転により挟持板がカムのストロークに合わせて移動し、本体内部の挟持部とで紐を挟んで固定する。紐の太さにより孔径は適宜調整すればよい。また、挟み込む紐が抜けないよう、カムの形状によりストロークを可変し、挟持板の動作幅を調整することができる。孔の周りには面取りを設け、紐の切断などの破損を防止するようにする。挟持板の紐と接する面または本体内部の挟持部には、突起などを設け紐が緩み難く且つ抜け難くするとよい。前記突起は、挟持板及び本体内部の挟持部両方に設けてもよい。また、挟持板の材質は金属が望ましいが、樹脂、ゴムなどを用いてもよく、金属に限定するものではなく、使用用途によって使い分けることが望ましい。
【発明の効果】
【０００６】
以上の構成により、本発明の紐止め具を利用することで、主に紐状の固定対象物を片手でハンドルを回す程度の簡易操作で、挟持力を維持し緩み難い固定が可能となる。例えば、本発明の紐止め具を靴に取付け、靴紐を紐止め具により挟持すれば靴紐を縛ることなく容易に固定及び解除が可能で、紐の長さも短くすることも可能である。ベルトやバンドに本紐止め具を使用すれば、従来のベルトの孔位置に束縛されることなく、必要な位置で固定することができる。
【図面の簡単な説明】
【０００７】
【図１】本発明の斜視図
【図２】本発明の３面図
【図３】紐を挟持した状態と固定を解除した状態を示す斜視図
【図４】本発明の部品構成を示す斜視図
【図５】靴紐を固定した状態の一例の斜視図
【図６】ベルトに利用した一例の斜視図
【発明を実施するための最良の形態】
【０００８】
以下、発明の詳細について、図面を引用して説明する。
【実施例１】
【０００９】
図１は本発明の紐止め具の斜視図である。長さ略５０ｍｍ、幅略３０ｍｍ、厚さ略８ｍｍ程度の矩形の本体４に２本の孔を設ける。孔の位置は、矩形の本体４の長手方向に対して平行に、矩形の本体４の長手方向を略３等分するように２本設ける。孔の径は使用する紐の径程度が望ましい。また、孔の周囲は面取りをし、紐等の破損を緩和する。矩形の本体４の上に、ハンドル１、カム３、挟持板２を組込み、カバー５をかぶせる。
【００１０】
図２は本発明の紐止め具の３面図である。
【００１１】
図３は紐を固定した状態と、固定を解除した状態を示す斜視図で、長さ略５０ｍｍ、幅略３０ｍｍ、厚さ略８ｍｍ程度の矩形の本体に、紐を通す孔を左右２箇所設け、本体中央部にハンドル１を設ける。孔に通した紐は、ハンドル１を廻すことによって、挟持板が外側方向へ移動し固定される。ハンドル１を逆に廻すと、挟持板が内側方向へ移動し固定が解除される。紐などを通す孔径は、紐の太さにより狭くしたり広くしたりして通しやすくなるよう調整する。また、固定した紐が抜けないよう、挟持板の動作幅もカムのストロークにて調整する。孔の周囲に面取りを設けることで、紐の破損を防止する。挟持板の紐に接する面に、波形などの突起を設け、摩擦を大きくすることで、緩み難く且つ抜け難くする。
【００１２】
図４は本発明の部品構成を示す斜視図で、ハンドル１に楕円形のカム３を取り付け、カム３の両脇に挟持板２を各々設ける。矩形の本体４の内部であって、両脇に挟持板と対になる紐などの挟持部を設け、前記挟持部の紐などと接する面に、波型などの突起部を形成することで、挟持した紐などを摩擦力で保持することで、緩み難く且つ抜け難くすることが可能となる。
【００１３】
本発明の紐止め具は、主に紐状のものを挟持するのに適しているが、孔に通すことができるものであれば、紐に限定されない。従って、挟持する物の大きさや、挟持に必要な強さに応じて、適宜本体の大きさや厚さ、溝の長さや巾等を変えることで、挟んで固定することが必要なものであれば、様々なものや大きさのものを挟持し、固定することが可能である。図５は本紐止め具を靴に取り付け、靴紐を固定した状態の一例の斜視図である。本紐止め具を利用すれば、靴紐の長さを短くすることも可能である。また、紐の先端部を固定する固定部を靴に設けてもよい。
【００１４】
本発明の紐止め具を靴に利用する場合は、靴紐を靴に通し終えた位置に、本紐止め具に靴紐を通して装着し、適当な強さで靴紐を引いた後、ハンドルを回すことで靴紐を固定することが可能である。ハンドルを回すだけの簡易操作であるため、片手で操作することが可能となる。靴紐を緩める場合は、ハンドルを固定時と反対に回すことで、固定が解除され、容易に靴紐を緩めることができる。
【実施例２】
【００１５】
本発明の紐止め具は、主に紐状のものを挟持するのに適しているため、例えば、ベルトなどにも応用可能である、ベルトに紐を設け、前記紐を本紐止め具に通し、固定したい位置まで紐を引き、ハンドルを回して紐を固定することで、ベルトの固定が可能となる。ベルトを緩める場合は、ハンドルを固定時と反対に回すことで、固定が解除され、容易にベルトを緩めることができる。
【産業上の利用可能性】
【００１６】
本発明の紐止め具は、工業生産が可能であり、靴やベルトに限らず紐などを固定する用途に応用が可能である。
【符号の説明】
【００１７】
１  ハンドル
２  挟持板
３  カム
４  本体
５  カバー
【要約】      （修正有）【課題】靴紐を固定する場合、紐を結ぶのではなく、紐状のものを挟持し固定することで、解けにくくすること、及び紐の固定及び解除が簡易操作で行うことができる紐止め具を提供する。【解決手段】本体に、紐を通す孔を左右２箇所設け、本体中央部にはハンドルを設ける。ハンドルにはカムを取り付け、カムの両脇には紐を挟持する挟持板を設ける。挟持板は本体内部の挟持部との間に通された紐を挟持する。孔に通した紐は、挟持板と本体内部の挟持部との間を通り、ハンドルを廻すことにより、ハンドルに固定されたカムが連動し、カムの回転により挟持板がカムのストロークに合わせて移動し、本体内部の挟持部とで紐を挟んで固定する。【選択図】図１【図１】
0005413700.tif 000002
【図６】
0005413700.tif 000003
【図２】
0005413700.tif 000004
【図３】
0005413700.tif 000005
【図４】
0005413700.tif 000006
【図５】
0005413700.tif 000007